【事件の表示】
　特許第２８８９４２６号「タレットの工具軸駆動装置」の請求項１に係る特許に対する特許異議の申立てについて、次のとおり決定する。
【結　論】
　訂正を認める。
　特許第２８８９４２６号の請求項１に係る特許を維持する。
【理　由】
第１　手続の経緯
　本件特許第２８８９４２６号については、平成４年２月２０日に特許出願され、同１１年２月１９日に設定の登録がされ、同１１年１０月２０日に村田機械株式会社より請求項１に係る特許について特許異議の申立てがされ、同１２年３月１０日付で取消しの理由が通知され、その指定期間内である同１２年５月２３日に明細書の訂正の請求がされ、同１２年６月７日付で訂正拒絶の理由が通知され、その後、同１２年８月３１日付で再度取消しの理由が通知され、その指定期間内である同１２年１１月６日に先の訂正の請求を取り下げると共に新たに明細書の訂正の請求がされた。
第２　訂正の適否についての判断
１　訂正の内容
　本件特許の登録時の明細書（以下「登録明細書」という。）の特許請求の範囲の請求項１を、特許請求の範囲の減縮を目的として、以下に示す訂正請求書に添付された明細書（以下「訂正明細書」という。）の特許請求の範囲の請求項１のように訂正する。
「刃物台フレーム（２）に軸支された旋回軸（３）の先端に固定され、背面に割り出し位置を固定する面歯車継手（１１）が固定されているタレット（１）を備え、当該タレット（１）の内部に設けられた中間駆動軸（２２）の先端延長上に割り出された回転工具軸（３４）と中間駆動軸（２２）とを係合して当該工具軸（３４）を駆動するタレットの工具軸駆動装置において、
前記旋回軸にベアリング（５）で軸支されて当該旋回軸の軸心に位置する不旋回軸（６）が設けられ、この不旋回軸の先端に固定してタレット（１）の旋回と無関係に前記旋回軸と直交する面内での方向を一定に保持されかつタレット（１）にその旋回軸方向に相対移動不能に保持された不旋回部材（２１）が設けられ、前記中間駆動軸（２２）はこの不旋回部材（２１）に軸支され、当該中間駆動軸の先端に軸直角方向の溝を有する係合要素対（２８），（３７）の一方（２８）が形成され、中間駆動軸（２２）は上記係合要素対（２８），（３７）の溝がタレットの旋回軸（３）と直交する方向を向いて停止するようにその停止位相を制御されており、当該停止時に中間駆動軸（２２）の先端の係合要素（２８）と連なるガイド要素（２７）が中間駆動軸（２２）を軸支する不旋回部材（２１）に一体的に設けられ、タレットに装着される回転工具軸（３４）の基端には、中間駆動軸（２２）の先端の係合要素（２８）と係合する他方の係合要素（３７）が設けられていることを特徴とする、タレットの工具軸駆動装置。」
２　訂正の目的の適否、新規事項の追加の有無及び拡張・変更の存否
　登録明細書の特許請求の範囲の請求項１の記載内容は、以下のとおりである。
「タレット（１）の内部に設けられた中間駆動軸（２２）の先端延長上に割り出された回転工具軸（３４）と中間駆動軸（２２）とを係合して当該工具軸（３４）を駆動するタレットの工具軸駆動装置において、
中間駆動軸（２２）はタレット（１）の旋回と無関係にタレットの旋回軸と直交する面内での方向を一定に保持されかつタレット（１）にその旋回軸方向に相対移動不能に保持された不旋回部材（２１）に軸支され、当該中間駆動軸の先端に軸直角方向の溝を有する係合要素対（２８），（３７）の一方（２８）が形成され、中間駆動軸（２２）は上記係合要素対（２８），（３７）の溝がタレットの旋回軸（３）と直交する方向を向いて停止するようにその停止位相を制御されており、当該停止時に中間駆動軸（２２）の先端の係合要素（２８）と連なるガイド要素（２７）が中間駆動軸（２２）を軸支する不旋回部材（２１）に一体的に設けられ、タレットに装着される回転工具軸（３４）の基端には、中間駆動軸（２２）の先端の係合要素（２８）と係合する他方の係合要素（３７）が設けられていることを特徴とする、タレットの工具軸駆動装置。」
である。
　そして、本件の訂正の内容は、登録明細書の特許請求の範囲の請求項１に
(1)　刃物台フレーム（２）に軸支された旋回軸（３）の先端に固定され、背面に割り出し位置を固定する面歯車継手（１１）が固定されているタレット（１）を備えていること
(2)　前記旋回軸にベアリング（５）で軸支されて当該旋回軸の軸心に位置する不旋回軸（６）が設けられ、この不旋回軸の先端に固定して不旋回部材（２１）が設けられていること
という事項を加えるものである。
　訂正事項(1)は、登録明細書の段落【００１４】の記載に基づいて「タレット」の構造を限定するものである。また、訂正事項(2)は、「タレット（１）の旋回と無関係にタレットの旋回軸と直交する面内での方向を一定に保持されかつタレット（１）にその旋回軸方向に相対移動不能に保持されいる不旋回部材（２１）」の保持手段を限定するものであって、登録明細書の段落【００１４】の記載及び図２に基づいて、旋回軸にベアリング（５）で軸支されて当該旋回軸の軸心に位置する不旋回軸（６）が設けられていることを限定すると共に同段落【００１６】の記載に基づいて、不旋回軸の先端に固定して不旋回部材（２１）が設けられていることを限定するものである。
　このように、訂正事項(1)及び訂正事項(2)は、いずれも特許請求の範囲の減縮に相当し、且つ、願書に添付した明細書又は図面に記載した事項の範囲内の訂正であって、実質的に特許請求の範囲を拡張又は変更するものではない。
３　独立特許要件の判断
(1) 訂正発明 
　訂正明細書の請求項１に係る発明（以下「訂正発明」という。）は、１に示すとおりの「タレットの工具軸駆動装置」であると認める。
(2)  引用刊行物
　これに対して、第１回目の取消しの理由で引用した本件特許の出願前に頒布された刊行物１（特開昭６２−２１８００２号公報）、刊行物２（米国特許第３,７６０,４７２号明細書）及び刊行物３（特開昭５８−２２６０４号公報）にはそれぞれ以下の発明が記載されていると認める。
刊行物１：
　ヘッドスライダ１に旋回可能に取付けられたタレットヘッド１２を備え、当該タレットヘッド１２の内部に設けられたドライブシャフト７の先端延長上に割り出されたスピンドル１０とドライブシャフト７とを係合して当該スピンドル１０駆動するタレットヘッドのスピンドル駆動装置において、
前記ヘッドスライダ１に固着されてタレットヘッド１２の旋回と無関係にその旋回軸と直交する面内での方向を一定に保持されたブラケット８が設けられ、前記ドライブシャフト７はこのブラケット８に軸支され、当該ドライブシャフト７の先端に軸直角方向の溝を有する係合要素対２０，２１の一方２０が形成され、ドライブシャフト７は上記係合要素対２０，２１の溝がタレットヘッド１２の旋回軸と直交する方向を向いて停止するようにその停止位相を制御されており、当該停止時にドライブシャフト７の先端の係合要素（一文字クラッチ９の雄型）２０と連なるガイド要素（固定レール）１１がドライブシャフト７を軸支するブラケット８に一体的に設けられ、タレットヘッド１２に装着されるスピンドル１０の基端には、ドライブシャフト７の先端の係合要素２０と係合する他方の係合要素（一文字クラッチ９の雌型）２１が設けられているタレットヘッドのスピンドル駆動装置。
刊行物２：
　インデックステーブル３０及びパワーディストリビュータ１０１乃至１０８を有し、これらの内側に位置するところに設けられたシャフト７４の先端延長上に割り出されたインプットシャフト１１１乃至１１８とシャフト７４とを係合してインプットシャフト１１１乃至１１８を駆動し、シャフト７４はインデックステーブル３０及びパワーディストリビュータ１０１乃至１０８の旋回と無関係にインデックステーブル３０の旋回軸と直交する面内での方向を一定に保持されかつインデックステープル３０にその旋回方向に相対移動不能に保持されたバーチカルコラム２５に軸支され、当該シャフト７４の先端に軸直角方向に凸状のドライブキー７１が形成され、シャフト７４はドライブキー７１がインデックステーブル３０の旋回軸と直交する方向を向いて停止するようにその停止位相を制御されており、当該停止時にシャフト７４の先端のドライブキー７１と連なるリング９２がシャフト７４を軸支するバーチカルコラム２５に一体的に設けられ、インデックステーブル３０に装着されるスピンドルヘッド５１乃至５８の基端にはシャフト７４の先端のドライブキー７１と係合する溝がインプットシャフト１１１乃至１１８に設けられているマルチプルスピンドルヘッド装置。
刊行物３：
　基台１に軸支された昇降旋回軸４の先端に固定され、背面に割り出し位置を固定するカービックカップリング９が固定されているタレット刃物台５を備え、当該タレット刃物台５の内部に設けられたクラッチ軸１６に回転可能に設けられたクラッチ体１８の先端延長上に割り出された工具ソケット２７とクラッチ体１８とを係合して当該工具ソケット２７を駆動するタレット刃物台の工具ソケット駆動装置において、
タレット刃物台５の中心部にはハウジング１１が嵌挿されており、当該ハウジング１１は、その下端部に前記昇降旋回軸４の軸芯に相対回転可能に軸支された小径の軸部を有すると共にタレット刃物台５の旋回と無関係に前記昇降旋回軸４と直交する面内での方向を一定に保持されかつタレット刃物台５にその昇降旋回軸方向に相対移動不能に保持されており、前記クラッチ軸１６は支持体１５を介してこのハウジング１１に往復動可能に軸支され、当該クラッチ軸１６に回転可能に設けられたクラッチ体１８の先端にクラッチ爪１７が形成され、タレット刃物台５に装着される工具ソケット２７の基端には、クラッチ体１８の先端のクラッチ爪１７と係合する他方のクラッチ爪２８が形成されており、クラッチ爪１７とクラッチ爪２８とを係脱するために、クラッチ軸１６は、ハウジング１１内に設けられたＬ形リンク２３によりタレット刃物台５の昇降に応じて往復動するタレット刃物台の工具ソケット駆動装置。
(3)  対比・判断
　訂正発明と刊行物１乃至刊行物３記載の発明とを対比すると、各刊行物記載の発明は、それぞれ部分的に訂正発明と共通する構成を備えているものの、いずれも訂正発明の必須構成である「旋回軸にベアリング（５）で軸支されて当該旋回軸の軸心に位置する不旋回軸（６）が設けられ、この不旋回軸の先端に固定してタレット（１）の旋回と無関係に前記旋回軸と直交する面内での方向を一定に保持されかつタレット（１）にその旋回軸方向に相対移動不能に保持された不旋回部材（２１）が設けられ」ているという構成を備えていない。
　そして、訂正発明は、上記構成を備えることによって、高い精度と剛性の確保という夕レットの工具駆動軸に本質的に要求される目的・効果を達成するものである。
　したがって、訂正発明は、刊行物１乃至刊行物３記載の発明であるとすることができないだけでなく、これらの発明に基づいて当業者が容易に発明をすることができたものであるとすることもできず、特許出願の際独立して特許を受けることができるものである。
４　むすび
　以上のとおりであるから、本件の訂正は、特許法第１２０条の４第３項において準用する平成６年法律第１１６号による改正前の特許法第１２６条第１項ただし書き、第２項及び第３項の規定に適合するので、当該訂正を認容する。
第３　特許異議の申立てについての判断　
１　特許異議申立ての理由の概要
　特許異議申立人は、甲第１号証（上記刊行物１）、甲第２号証（上記刊行物３）を提出して、本件登録明細書の請求項１に係る発明は、甲第１号証記載の発明であるか、もしくは、甲第１号証及び甲第２号証記載の発明に基づいて、当業者が容易に発明をすることができたものであるから、本件の請求項１に係る特許は、特許法第２９条の規定に違反してされたものであり取り消されるべきものである旨主張している。また、特許異議申立人は、登録明細書の請求項１に係る発明は、参考文献（上記刊行物２）記載の発明とも同一である旨主張している。
２　特許異議申立人の主張の検討
　本件については第２の４に示すように訂正が認められており、また、訂正された本件の請求項１に係る発明は、第２の３(3)に示すように上記刊行物１乃至刊行物３記載の発明であるとすることができないだけでなく、これらの発明に基づいて当業者が容易に発明をすることができたものであるとすることもできない。
３　むすび
　以上のとおりであるから、特許異議申立人の主張する特許異議申立ての理由及び提出した証拠によっては、本件の請求項１に係る特許を取り消すことはできない。
　また、他に本件の請求項１に係る特許を取り消すべき理由を発見しない。
　したがって、本件の請求項１に係る特許は、拒絶の査定をしなければならない特許出願に対してされたものではない。
　よって、結論のとおり決定する。　  
【異議決定日】
平成１２年１１月２８日（２０００．１１．２８）
【訂正の要旨】
訂正の要旨
　特許第２８８９４２６号の明細書の特許請求の範囲の請求項１を、特許請求の範囲の減縮を目的として、本件に係る訂正請求書に添付された明細書のとおり以下のように訂正する。
「刃物台フレーム（２）に軸支された旋回軸（３）の先端に固定され、背面に割り出し位置を固定する面歯車継手（１１）が固定されているタレット（１）を備え、当該タレット（１）の内部に設けられた中間駆動軸（２２）の先端延長上に割り出された回転工具軸（３４）と中間駆動軸（２２）とを係合して当該工具軸（３４）を駆動するタレットの工具軸駆動装置において、
前記旋回軸にベアリング（５）で軸支されて当該旋回軸の軸心に位置する不旋回軸（６）が設けられ、この不旋回軸の先端に固定してタレット（１）の旋回と無関係に前記旋回軸と直交する面内での方向を一定に保持されかつタレット（１）にその旋回軸方向に相対移動不能に保持された不旋回部材（２１）が設けられ、前記中間駆動軸（２２）はこの不旋回部材（２１）に軸支され、当該中間駆動軸の先端に軸直角方向の溝を有する係合要素対（２８），（３７）の一方（２８）が形成され、中間駆動軸（２２）は上記係合要素対（２８），（３７）の溝がタレットの旋回軸（３）と直交する方向を向いて停止するようにその停止位相を制御されており、当該停止時に中間駆動軸（２２）の先端の係合要素（２８）と連なるガイド要素（２７）が中間駆動軸（２２）を軸支する不旋回部材（２１）に一体的に設けられ、タレットに装着される回転工具軸（３４）の基端には、中間駆動軸（２２）の先端の係合要素（２８）と係合する他方の係合要素（３７）が設けられていることを特徴とする、タレットの工具軸駆動装置。」
（５４）【発明の名称】
タレットの工具軸駆動装置
（５７）【特許請求の範囲】
　【請求項１】　
刃物台フレーム（２）に軸支された旋回軸（３）の先端に固定され、背面に割り出し位置を固定する面歯車継手（１１）が固定されているタレット（１）を備え、当該
前記旋回軸にベアリング（５）で軸支されて当該旋回軸の軸心に位置する不旋回軸（６）が設けられ、この不旋回軸の先端に固定して
前記
が設けられ、前記中間駆動軸（２２）はこの不旋回部材（２１）
【発明の詳細な説明】
　【０００１】
　【産業上の利用分野】
　この発明は、工作機械のタレット刃物台に装着された工具を回転駆動する装置に関するものである。
　【０００２】
　【従来の技術】
　タレット刃物台のタレットに装着された回転工具を駆動する構造としては、図３に示すように、タレット１の旋回軸３の軸芯に駆動軸８を挿通し、タレット１の工具装着ステーションに装着された工具軸３４と駆動軸８とを傘歯車２３、４１によって駆動連結する構造が従来一般に用いられている。
　【０００３】
　図３の従来構造の場合には、タレット１に複数の工具軸を設けたときには、それらに設けた従動傘歯車４１の全てが駆動傘歯車２３に同時に噛み合うこととなり、駆動軸８を駆動したときにタレット１に装着した複数の回転工具３６が同時に回転駆動される。従って回転工具駆動時のパワーロスが大きく、試験加工のときなどに実際の加工に関与していない回転工具が作業者の人体と接触する可能性があるなどの安全上の問題があり、また停止時に工具軸の回転が拘束されないで自由回転状態となるため、コレット３５で工具３６の着脱を行う際などには何らかの方法で工具軸３４の回転を拘束しなければならないという問題があった。
　【０００４】
　またタレット１に複数の回転工具３６を装着したときには、そのそれぞれの工具軸の基端に従動傘歯車４１が装着されるため、隣接する従動傘歯車４１相互の干渉により、たとえば１２ステーションのタレットであっても回転工具は１ステーションおきに６個しか装着することができないというように、従動傘歯車４１相互の干渉によって回転工具の装着個数が制限されるという問題がある。また複数の従動傘歯車４１を１個の駆動傘歯車２３に正確な位置関係で噛合させねばならないため、カラー４２等で各工具軸の従動傘歯車４１の位置を調整する必要があり、装置の組み立てに時間がかかるという問題もあった。
　【０００５】
　このような問題を解決するため、図４に示すように、タレット１の内部の径方向にタレット１の旋回動作に関わりなく常に一定の方向を向くように保持された中間駆動軸２２を設け、この中間駆動軸を傘歯車対２３、２４によって駆動軸８と連結し、中間駆動軸２２と同軸上に回動してきた工具軸３４の基端と中間駆動軸２２の先端とをスプラインカラー４３等によって必要に応じて係合する構造の駆動装置が提唱されている。
　【０００６】
　このような構造であれば、タレット１に複数の回転工具３６を装着した場合でも、実際に加工に供される１本の工具のみしか駆動されないので、上述したパワーロスの問題や安全性の問題を回避することができる。
　【０００７】
　【発明が解決しようとする課題】
　しかし図４に示すような構造では、中間駆動軸２２と所望の工具軸３４とを係脱するスプラインカラー４３その他の部材を操作するための駆動機構をタレット１に設けてやる必要がある。その駆動機構は、たとえばタレット１内にシリンダを内蔵するか、あるいは駆動軸８の中心を貫通するロッドを進退させることによって駆動する等の方法が考えられるが、前者の場合には旋回するタレットに作動流体を供給しなければならないし、動作の完了を電気信号なりで確認するための何らかの機構と伝達方法を設けなければならないという面倒が生じ、後者の場合には機構が複雑になるという問題が生ずる。
　【０００８】
　またこの種の構造では、加工位置に割り出されていない工具軸の回転は、駆動軸８の回転を拘束しても尚拘束できないため、コレット３５で回転工具３６を装脱するときは、工具軸３４の１本１本に回転拘束手段を設け、これによって回転を拘束した状態で工具３６の装脱を行わねばならないという面倒が生ずる。
　【０００９】
　【課題を解決するための手段】
　この発明では、所定の位置に割り出された回転工具と駆動軸との係脱をタレットの割り出し動作に連動させて行わせることにより、上記課題を解決している。タレット１の内部には、タレット１の旋回と無関係にタレットの旋回軸３と直交する面内で一定の方向を保持しかつ旋回軸３の軸方向に相対移動不能にタレット１に保持された不旋回部材２１が設けられ、工具軸を駆動する中間駆動軸２２がこの不旋回部材２１に軸支されている。中間駆動軸２２の先端２５には、中間駆動軸２２の軸心と直交する方向の溝２８を備えた係合要素対２８、３７の一方２８が設けられ、タレットに装着される回転工具軸３４の基端には、当該係合要素対の他方３７が設けられている。中間駆動軸２２は上記係合要素対２８、３７に介在する溝２８がタレットの旋回軸３と直交する方向を向いて停止するようにその停止位相を制御されており、当該停止時に中間駆動軸２２の先端の係合要素２８と連なるガイド要素２７を中間駆動軸２２を軸支する不旋回部材２１に設けている。
　【００１０】
　【作用】
　タレット１に装着された回転工具３６の工具軸３４は、中間駆動軸２２の先端延長上にあるものを除き、その基端の係合要素３７が不旋回部材２１のガイド要素２７にタレット１の円周方向に摺動自在に嵌合された状態となっており、これらの各工具軸の回転は、不旋回部材２１によって停止されている状態となっている。
　【００１１】
　駆動軸８を停止させた状態でタレット１を旋回させると、このとき中間駆動軸２２の先端の係合要素２８がガイド要素２７と連接する方向となっているから、中間駆動軸２２の先端延長上に割り出された工具軸３４の係合要素３７は、ガイド要素２７によって規制される位相を保ったまま、中間駆動軸先端の係合要素２８に嵌合する。この状態で駆動軸８を回転すると、駆動軸８の回転は、中間駆動軸２２を介して、中間駆動軸２２の先端延長上に位置する１本の工具軸３４のみに伝達され、従って加工位置に割り出された回転工具３６のみが回転駆動されることとなる。
　【００１２】
　駆動軸８を停止させると、その停止位相制御により中間駆動軸２２はその先端の係合要素２８を不旋回部材のガイド要素２７に連通させる方向で停止するので、この状態でタレット１を旋回すると、中間駆動軸２２とこれに係合していた工具軸３４とは、その係合要素２８、３７相互のタレット１の周方向移動によって外れ、工具軸の係合要素３７はガイド要素２７に嵌合された状態となり、新たに加工位置に割り出された工具軸の係合要素が中間駆動軸２２の係合要素２８と係合することとなる。
　【００１３】
　加工位置に割り出された工具軸３４を除く他の工具軸は、その基端の係合要素３７と不旋回部材のガイド要素２７との嵌合により、回動が阻止された状態となっているので、特別な回転拘束手段を設けなくても、コレット３５による工具３６の着脱を行うことができる。
　【００１４】
　【実施例】
　図１および２は、この発明の一実施例を示す図である。タレット１は工具台のフレーム２に回動かつ軸方向に若干移動自在に装着された旋回軸３の先端にボルト４で固定されている。旋回軸３は中空軸でその軸芯にベアリング５で不旋回軸６が相対回転可能に軸支され、さらに不旋回軸６の軸芯にベアリング７で回転工具の駆動軸８が相対回転可能に軸支されている。タレット１の背面と刃物台フレーム２の前面には、互いに対向する面歯車継手１１、１２がボルト１３、１４によって固定されている。旋回軸３の図示しない基端は、タレット割り出し用電動機に駆動連結されるとともに、旋回軸３を軸方向移動させるクランプシリンダに連結されている。そしてクランプシリンダで旋回軸３を進出（図の左方向に移動）させた状態で旋回軸３を回転させてタレット１を割り出し、クランプシリンダで旋回軸３を引き込んで面歯車継手１１、１２を噛合させることにより、タレット１の割り出し位置を固定する。
　【００１５】
　不旋回軸６の図示されない後端は、たとえばスプラインなどにより、刃物台フレーム２に相対回動不能かつ軸方向に微少距離相対移動可能に連結されている。また駆動軸は刃物台フレーム２に搭載した工具駆動モータに連結されており、この工具駆動モータとしては、停止位置の位相制御が可能なモータが用いられている。
　【００１６】
　不旋回軸６の先端には、インナーフレーム２１が固定されている。インナーフレーム２１はリング状をしており、その直径方向すなわち旋回軸３の軸芯と直交する方向に中間駆動軸２２を軸支している。そして駆動軸８の先端に固定された駆動傘歯車２３と、中間駆動軸２２に固定された従動傘歯車２４とが噛合している。中間駆動軸２２の先端２５はインナーフレーム２１に設けた貫通孔２６を通して、インナーフレーム２１の外周に臨出している。インナーフレーム２１の外周には、中間駆動軸２２の軸芯と一致する位置に円周方向のガイド溝２７が設けられており、一方中間駆動軸２２の先端には、軸直角方向の係合溝２８が設けられ、このガイド溝２７と係合溝２８とは、係合溝２８が旋回軸３と直交する方向を向いたときに、連続する１個の円周溝が形成されるように形成される。
　【００１７】
　タレット１の工具装着ステーションに装着された回転工具ホルダ３１には、ベアリング３２、３３で工具軸３４が回転自在に装着され、この工具軸の先端にコレット３５が設けられ、回転工具３６はこのコレット３５で回転工具軸３４に固定される。工具軸３４の基端には、軸直角方向の突起３７が設けられ、この突起３７は前記ガイド溝２７および係合溝２８とタレット１の円周方向に摺動自在に嵌合する形状とされている。
　【００１８】
　以上説明した実施例における回転工具３６の割り出し時の動作については、前記作用の項で説明したのでここでは省略する。
　【００１９】
　【発明の効果】
　以上説明したこの発明の装置によれば、加工位置に向いた１本の回転工具のみが駆動されるため、回転工具駆動時のパワーロスが少なく、また実際に加工に供されていない工具が回転することによって生ずる危険も回避することができる。また工具軸の基端に従動傘歯車が装着されないため、多数の工具ステーションのすべてに回転工具を装着することも可能であり、また加工方向を向いた回転工具以外の回転工具はガイド要素によりその回転を係止されているので、工具交換時に工具軸を一々固定する作業も必要としない。さらに所望の回転工具と駆動軸の係脱がタレットの割り出し操作のみによって行われるため、動作が速く確実であり、かつ同種の装置に比べてタレットの内部構造が簡単になり、組み立てやメンテナンスも容易であるという特徴がある。
【図面の簡単な説明】
　【図１】
　　実施例の要部の斜視図
　【図２】
　　実施例の断面図
　【図３】
第１従来例を示す断面図
　【図４】
第２従来例を示す断面図
　【符号の説明】
１　　タレット
３　　旋回軸
２１　インナーフレーム
２２　中間駆動部材
２７　ガイド溝
２８　係合溝
３４　工具軸
３７　突起